(57)【要約】【課題】ハイブリッドＡＦにおけるコントラストＡＦ用のＡＦエリアの設定が制限されているという問題を解決する。【解決手段】選択されたコントラストＡＦエリア３の範囲内に複数の位相差ＡＦエリア１が含まれている場合、所定条件に基づいて、たとえばそれぞれの位相差ＡＦエリア１においてコントラストＡＦエリア３と重複する領域の面積を算出し、重複領域の面積が最大の位相差ＡＦエリア１を選択してハイブリッドＡＦにより焦点調節を行う。【選択図】図２
2007256885.tif 000002
【特許請求の範囲】
【請求項１】
撮影画面内に設定された複数の第一の測距エリアに対する撮影レンズの焦点調節状態を検出する第一の焦点検出手段と、
前記第一の焦点検出手段とは異なる方式で、前記撮影画面内に設定された第二の測距エリアに対する前記撮影レンズの焦点調節状態を検出する第二の焦点検出手段と、
前記第一および第二の焦点検出手段の少なくとも一方による焦点調節状態に基づき焦点調節を行う焦点調節手段と、
前記第二の測距エリア内に前記第一の測距エリアが複数含まれる場合、所定条件に基づいて、前記第一の測距エリアのうち前記焦点調節の対象とする測距エリアを選択するエリア選択手段とを備えることを特徴とする焦点調節装置。
【請求項２】
請求項１に記載の焦点調節装置において、
前記エリア選択手段は、前記第二の測距エリアに含まれる複数の前記第一の測距エリアのうち、前記第二の測距エリアと重複する面積が最大の測距エリアを選択することを特徴とする焦点調節装置。
【請求項３】
請求項１または２に記載の焦点調節装置において、
前記エリア選択手段は、前記第二の測距エリアに含まれる複数の前記第一の測距エリアのうち複数の測距エリアを選択した場合は、前記第一の焦点検出手段による焦点調節状態に応じて、いずれの前記第一の測距エリアも選択しないことを特徴とする焦点調節装置。
【請求項４】
請求項１に記載の焦点調節装置において、
前記エリア選択手段は、撮影モードに応じて前記第一の測距エリアを選択することを特徴とする焦点調節装置。
【請求項５】
請求項４に記載の焦点調節装置において、
前記エリア選択手段は、前記撮影モードが相対的に遠方の被写体を撮影するモードである場合は、最も遠方に位置する被写体が存在する前記第一の測距エリアを選択することを特徴とする焦点調節装置。
【請求項６】
請求項４に記載の焦点調節装置において、
前記エリア選択手段は、前記撮影モードが相対的に至近の被写体を撮影するモードである場合は、最も至近に位置する被写体が存在する前記第一の測距エリアを選択することを特徴とする焦点調節装置。
【請求項７】
請求項１に記載の焦点調節装置において、
主要被写体検出手段をさらに備え、
前記エリア選択手段は、前記主要被写体検出手段により検出された被写体が存在する前記第一の測距エリアを選択することを特徴とする焦点調節装置。
【請求項８】
請求項１乃至７のいずれか一項に記載の焦点調節装置において、
前記焦点調節手段は、前記第一の焦点検出手段による焦点検出結果に基づく焦点調節を行った後、前記第二の焦点検出手段による焦点検出結果に基づいて焦点調節を行うことを特徴とする焦点調節装置。
【請求項９】
請求項１乃至８のいずれか一項に記載の焦点調節装置を備えることを特徴とするカメラ。
【発明の詳細な説明】
【技術分野】
【０００１】
本発明は、焦点調節装置およびこれを有するカメラに関する。
【背景技術】
【０００２】
従来から、異なる２方式の焦点調節方式を併用するハイブリッドＡＦが知られている。下記特許文献１には、いわゆる位相差ＡＦとコントラストＡＦとからなるハイブリッドＡＦにおいて、コントラストＡＦ用のＡＦエリアと位相差ＡＦ用のＡＦエリアとが一対一に対応づけられているものが開示されている。
【特許文献１】特開平１０−３９１９６号公報
【発明の開示】
【発明が解決しようとする課題】
【０００３】
本来、コントラストＡＦにおけるＡＦエリアは撮影画面内に任意に設定可能であるが、従来のハイブリッドＡＦでは、コントラストＡＦ用のＡＦエリアが制限されていたという問題がある。
【課題を解決するための手段】
【０００４】
請求項１の発明による焦点調節装置は、撮影画面内に設定された複数の第一の測距エリアに対する撮影レンズの焦点調節状態を検出する第一の焦点検出手段と、第一の焦点検出手段とは異なる方式で、撮影画面内に設定された第二の測距エリアに対する撮影レンズの焦点調節状態を検出する第二の焦点検出手段と、第一および第二の焦点検出手段の少なくとも一方による焦点調節状態に基づき焦点調節を行う焦点調節手段と、第二の測距エリア内に第一の測距エリアが複数含まれる場合、所定条件に基づいて、第一の測距エリアのうち焦点調節の対象とする測距エリアを選択するエリア選択手段とを備えることを特徴とする。
請求項２に記載の発明は、請求項１に記載の焦点調節装置において、エリア選択手段は、第二の測距エリアに含まれる複数の第一の測距エリアのうち、第二の測距エリアと重複する面積が最大の測距エリアを選択することを特徴とする。
請求項３に記載の発明は、請求項１または２に記載の焦点調節装置において、エリア選択手段は、第二の測距エリアに含まれる複数の第一の測距エリアのうち複数の測距エリアを選択した場合は、第一の焦点検出手段による焦点調節状態に応じて、いずれの第一の測距エリアも選択しないことを特徴とする。
請求項４に記載の発明は、請求項１に記載の焦点調節装置において、エリア選択手段は、撮影モードに応じて第一の測距エリアを選択することを特徴とする。
請求項５に記載の発明は、請求項４に記載の焦点調節装置において、エリア選択手段は、撮影モードが相対的に遠方の被写体を撮影するモードである場合は、最も遠方に位置する被写体が存在する第一の測距エリアを選択することを特徴とする。
請求項６に記載の発明は、請求項４に記載の焦点調節装置において、エリア選択手段は、撮影モードが相対的に至近の被写体を撮影するモードである場合は、最も至近に位置する被写体が存在する第一の測距エリアを選択することを特徴とする。
請求項７に記載の発明は、請求項１に記載の焦点調節装置において、主要被写体検出手段をさらに備え、エリア選択手段は、主要被写体検出手段により検出された被写体が存在する第一の測距エリアを選択することを特徴とする。
請求項８に記載の発明は、請求項１乃至７のいずれか一項に記載の焦点調節装置において、焦点調節手段は、第一の焦点検出手段による焦点検出結果に基づく焦点調節を行った後、第二の焦点検出手段による焦点検出結果に基づいて焦点調節を行うことを特徴とする。
請求項９の発明によるカメラは、請求項１乃至８のいずれか一項に記載の焦点調節装置を備えることを特徴とする。
【発明の効果】
【０００５】
本発明によれば、第二の測距エリアの設定が制限されない異なる２つの焦点検出方式を用いる焦点調節装置を提供することができる。
【発明を実施するための最良の形態】
【０００６】
―第一の実施形態―
以下、図面に基づき、焦点調節装置付きカメラの第一の実施形態を説明する。この実施の形態のカメラは、位相差ＡＦと、コントラストＡＦと、これら両ＡＦを併用するハイブリッドＡＦのいずれかを選択して焦点検出／調節を行うものである。
【０００７】
図１は、本発明によるカメラの要部構成を説明するブロック図である。カメラボディ１０には、撮影レンズ１２０を備えるレンズ鏡筒１１０が交換可能に装着されている。レンズ鏡筒１１０内には、レンズ群１２０ａ〜１２０ｃから成る撮影レンズ１２０、ＡＦ駆動モータ１３０、絞り１４０が設けられている。１２０ｂは、ＡＦ駆動モータ１３０で駆動される、焦点調節レンズである。
【０００８】
カメラボディ１０の内部には、被写体を撮像するための撮像素子２０が設けられている。撮像素子２０はＣＣＤやＣＭＯＳ等が使用される。撮影レンズ１２０と撮像素子２０との間には、撮影レンズ１２０を通過した被写体光をファインダ光学系へと反射するクイックリターンミラー７０が配設されている。被写体光の一部はクイックリターンミラー７０の半透過領域を透過し、サブミラー８０にて下方に反射され、さらにミラー８１で反射された後に位相差式焦点検出素子１００へ入射する。
【０００９】
位相差式焦点検出素子１００は、たとえば、焦点検出光束を、撮影レンズ１２０の射出瞳の異なる領域を通る一対の焦点検出用光束に分割する瞳分割方式の焦点検出光学系と、分割された一対の光束が入射し、それに応じた受光信号を出力する一対のＣＣＤラインセンサとを備える。ＣＣＤラインセンサから出力される受光信号は制御回路３００に入力され、後述するように、制御回路３００は、受光信号に基づいて、焦点調節状態を求め、焦点調節レンズ１２０ｂを合焦位置まで駆動させるレンズ駆動信号を出力する。
【００１０】
一方、クイックリターンミラー７０で反射された被写体光は、撮像素子２０と光学的に等価な位置に設けられたファインダスクリーン９０上に結像する。ファインダスクリーン９０上に結像された被写体像は、ペンタプリズム３０と接眼レンズ５０とを介して観察可能となっているとともに、ペンタプリズム３０から測光素子４０の受光面上に結像する。なお、撮影の際にはクイックリターンミラー７０が被写体光の光路上から光路外へと移動し、撮像素子２０上に被写体像が結像する。
【００１１】
制御回路３００はＣＰＵ、ＲＯＭ、ＲＡＭおよび各種周辺回路から構成されている。図１に示すように、制御回路３００は、機能的には、位相差式焦点検出素子１００を制御するＣＣＤ制御部２２０と、撮影レンズ１２０の予定焦点面に対する結像面の像面ずれ量（以下、デフォーカス量と呼ぶ）を演算するデフォーカス量演算部２４０と、撮像素子２０から出力される撮像信号に基づいて焦点評価値を演算するコントラスト演算部２３０と、デフォーカス量に基づいて焦点調節レンズ１２０ｂの駆動量を演算するレンズ駆動量演算部２５０と、レンズ駆動量演算部２５０での演算結果に基づいて焦点調節レンズ１２０ｂを駆動するレンズ駆動制御部２６０と、後述するように、コントラストＡＦエリア内に存在する位相差ＡＦエリアの中からいずれか一つを所定条件に基づいて選択するエリア決定部２８０とを備えている。
【００１２】
デフォーカス量演算部２４０は、ＣＣＤ制御部２２０から出力される蓄積信号に基づいて、以下に説明する周知のデフォーカス量演算を行う。すなわち、撮影レンズ１２０の射出瞳の異なる領域を通過する一対のデフォーカス量検出用光束による被写体像のそれぞれは、一対のＣＣＤラインセンサのそれぞれに結像する。ＣＣＤラインセンサ上の一対の被写体像は、撮影レンズ１２０が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態では、一対の被写体像が相対的に一致する。そこで、一対のＣＣＤラインセンサから出力される信号を相関演算して、２つの像の相対位置ずれ量（相対間隔）を算出することにより、撮影レンズ１２０の焦点調節状態、すなわちデフォーカス量が得られる。
【００１３】
コントラスト演算部２３０は、撮像素子２０から出力される撮像信号のうち、コントラストＡＦエリアに対する撮像信号を選択し、その撮像信号から高周波成分を抽出して周知の焦点評価値演算を行う。撮影レンズ１２０が撮像素子２０上に尖鋭像を結ぶ合焦状態では、被写体像のエッジのボケが最小となりコントラストは最大になるので、焦点評価値も最大となる。
【００１４】
レンズ駆動量演算部２５０は、デフォーカス量演算部２４０によって算出されたデフォーカス量に基づいてレンズ駆動量を算出する。レンズ駆動量演算部２５０で演算されたレンズ駆動量に基づいて、レンズ駆動制御部２６０は、ＡＦ駆動モータ１３０を駆動制御する。ＡＦ駆動モータ１３０は、レンズ駆動制御部２６０からの信号に応じて焦点調節レンズ１２０ｂを光軸方向に移動させ、これにより、焦点調節状態が調節される。
【００１５】
また、レンズ駆動制御部２６０は、ＡＦ駆動モータ１３０を制御してレンズを駆動しながらコントラスト演算部２３０で演算される焦点評価値が最大になる位置に焦点調節レンズ１２０ｂを駆動する（いわゆる山登り方式）。山登り方式において、レンズ駆動量演算部２５０は、レンズ駆動ステップを決定してレンズ駆動制御部２６０へ出力する。なお、焦点評価値に基づく焦点調節方法としては、予め焦点調節レンズ１２０ｂを至近から無限遠までスキャンしてレンズ位置に対する焦点評価値の関係を算出し、この関係に基づいて焦点調節を行う方式を用いてもよい。
【００１６】
カメラには、位相差ＡＦモードスイッチ２００が備えられ、これを操作することによりＡＦ選択信号が制御回路３００へ送信され、ＡＦモードを「位相差ＡＦ」に設定することができる。なお、位相差ＡＦモードスイッチ２００は機械的なスイッチに限定されず、メニュー画面で設定するようにしてもよい。また、カメラには、レリーズボタンの半押し操作に応答する起動スイッチ２１０と、コントラストＡＦエリア選択操作部２７０とシーンセレクタ２９０とが設けられている。起動スイッチ２１０がオンされると、制御回路３００へ信号が送信され、測光、焦点検出などが開始する。さらに、コントラストＡＦエリア選択操作部２７０を操作すると、コントラストＡＦエリアを撮影画面内の任意の位置に対応させて設定することができる。
【００１７】
シーンセレクタ２９０を操作すると、オートモードやポートレートモード、風景、クローズアップなどの各種の撮影シーンに応じた撮影条件の設定（撮影モード）を選択することができる。被写体の状況に応じた撮影モードを選択すると、シーン選択信号がシーンセレクタ２９０から制御回路３００へ出力される。
【００１８】
次に、ＡＦエリアの配置例を図２に示す。
図２において、複数の位相差ＡＦエリア１ａ〜１ｚ（以下、総称する場合、単に符号１で示す。）が設けられている。各エリア１ａ〜１ｚと重複して破線で示す四角形状の領域２ａ〜２ｚ（以下、総称する場合、単に符号２で示す。）は、位相差ＡＦ用の一対のラインセンサの１次像面上の像を表している。通常、位相差ＡＦ使用時は、これらＡＦエリアの少なくとも一つに対して、焦点調節を行う。たとえば、全てのＡＦエリアのデフォーカス量に基づいて、最も至近に位置する被写体を捕捉しているＡＦエリアのデフォーカス量を採用し、焦点調節を行う。この場合、各ＡＦエリアのデフォーカス量を使用しつつ、至近側のデフォーカス量に大きな重み付けをするなど種々の方式が採用できる。太線で示す枠３は、コントラストＡＦ使用時のＡＦエリアである。上述したように、コントラストＡＦエリア選択部２７０により、撮影者は、コントラストＡＦエリア３を手動で任意の位置に設定することが可能である。
【００１９】
それぞれの位相差ＡＦエリア１ａ〜１ｚの位置は、画面上のいずれかの点を原点とする二次元座標系において座標化されて、それら位相差ＡＦエリア１ａ〜１ｚの座標はテーブルなどの形式で、エリア決定部２８０の所定領域内に格納されている。座標化される点は、それぞれの位相差ＡＦエリア１ａ〜１ｚの領域の四隅の点でも、中心点や各辺の長さであってもよい。また、エリア決定部２８０は、コントラストＡＦエリア選択操作部２７０の操作による設定指示の信号値に基づいて、たとえば、コントラストＡＦエリア３の領域の中心点または四隅の点などの位置を画面上の二次元座標系において座標化する。
【００２０】
エリア決定部２８０は、上記のようにして求められたコントラストＡＦエリア３の座標と、データとして格納している位相差ＡＦエリア１の座標とを比較する。たとえば、図２に示すように、画面上の二次元座標系において、複数の位相差ＡＦエリア１ａ、１ｂ、１ｅおよび１ｆの領域とコントラストＡＦエリア３の領域とが重複していれば、重複している領域の面積をそれぞれの位相差ＡＦエリア１ａ、１ｂ、１ｅおよび１ｆごとに算出する。算出結果に基づき、図２の場合は重複面積が最大の位相差ＡＦエリア１ｆを位相差ＡＦ焦点検出領域として決定し、選択エリア情報としてデフォーカス量演算部２４０へ出力する。なお、位相差ＡＦエリア１の領域の中心座標と、コントラストＡＦエリア３の領域の中心座標との距離に応じて、位相差ＡＦ焦点検出領域を決定するものであってもよい。
【００２１】
次に、上記構成のカメラの動作を、図３に示すフローチャートを参照しながら説明する。このフローチャートは、図１の制御回路３００において、焦点検出／調節制御用プログラムを実行して行われる手順を示すものである。
図３のステップＳ１０１では、ＡＦモードスイッチ２００からの信号に基づいて、撮影者の切替操作により位相差ＡＦモードが選択されたか否かを判別する。位相差ＡＦ選択信号を受信せず、位相差ＡＦモードが選択されていないと判定された場合は、コントラストＡＦモードであると判定して、ステップＳ１０２へ進む。位相差ＡＦモードが選択された場合には、ステップＳ１０７へ進む。ステップＳ１０７では、位相差ＡＦにより周知の方式で焦点検出が行われ、その検出結果により焦点調節を行う。
【００２２】
ステップＳ１０２では、コントラストＡＦエリア選択操作部２７０からの信号に基づいて、コントラストＡＦで焦点調節を行うコントラストＡＦエリア３の位置が設定されたか否かを判定する。コントラストＡＦエリア３の位置が設定されたと判定された場合は、ステップＳ１０３へ進む。コントラストＡＦエリア３の位置が未設定と判定された場合は、撮影者によってコントラストＡＦエリア３の位置が設定されるまで待機する。
【００２３】
ステップＳ１０３では、ステップＳ１０２で選択したコントラストＡＦエリア３が、図２に示すように位相差ＡＦエリア１に重複しているか否かを判定する。コントラストＡＦエリア３が位相差ＡＦエリア１に重複していると判定された場合は、ステップＳ１０４へ進む。コントラストＡＦエリア３が位相差ＡＦエリア１に重複していないと判定された場合はステップＳ１０９へ進み、コントラストＡＦにより周知の方法で焦点調節を行なう。
【００２４】
ステップＳ１０４では、ステップＳ１０２で選択したコントラストＡＦエリア３に重複している位相差ＡＦエリア１が複数存在するか否かを判定する。コントラストＡＦエリア３と重複している位相差ＡＦエリア１が複数存在していると判定された場合は、ステップＳ１０５へ進む。コントラストＡＦエリア３と重複している位相差ＡＦエリア１が１つと判定された場合は、ステップＳ１０５をスキップしてステップＳ１０６へ進む。
【００２５】
ステップＳ１０５では、前述のように、コントラストＡＦエリア３と重複しているそれぞれの位相差ＡＦエリアについて、重複している部分の面積を算出する。算出結果に基づいて、面積値が最大である位相差ＡＦエリア（たとえば、図２の位相差ＡＦエリア１ｆ）を選択して、ステップＳ１０６へ進む。
【００２６】
ステップＳ１０６では、選択された位相差ＡＦエリア、たとえば図２の位相差ＡＦエリア１ｆに対応する位相差ＡＦセンサ２ｆによって、デフォーカス量が算出されたか否かを判定する。デフォーカス量が算出されていないと判定された場合はステップＳ１０９へ進み、前述のようにコントラストＡＦにより周知の方法で焦点調節を行なう。デフォーカス量が算出されたと判定された場合は、ステップＳ１０８へ進む。
【００２７】
ステップＳ１０８では、位相差ＡＦとコントラストＡＦの組み合わせによるハイブリッドＡＦにより焦点調節を行う。たとえば、位相差ＡＦによりレンズ駆動方向のみを決めてコントラストＡＦを行なう。あるいは、位相差ＡＦでデフォーカス量を算出後、焦点調節レンズ１２０ｂを合焦位置の近傍まで駆動し、その後、コントラスト式によって焦点評価値が最大となるよう焦点調節レンズ１２０ｂを位置決めする。
【００２８】
以上で説明したように、第一の実施形態によるカメラによれば、次の作用効果が得られる。
（１）位相差ＡＦとコントラストＡＦとの２方式を併用するハイブリッドＡＦにおいて、撮影者のマニュアル操作により設定されたコントラストＡＦエリア３内に位相差ＡＦエリア１が複数含まれる場合、重複する面積に基づいて焦点調節の対象とする位相差ＡＦエリア１を選択して、ハイブリッドＡＦによる焦点検出／調節を行うようにした。したがって、複数の位相差ＡＦエリア１の中から、ハイブリッドＡＦにおいてコントラストＡＦエリア３に対応する位相差ＡＦエリア１を設定することができる。その結果、位相差ＡＦエリア１が撮影画面内の離散的な位置に設定されている場合でも、ハイブリッドＡＦに用いることのできるコントラストＡＦエリア３を撮影画面内で任意の位置に設定することができる。
【００２９】
（２）コントラストＡＦエリア３内に位相差ＡＦエリア１が複数含まれる場合、コントラストＡＦエリア３と重複する面積が最大の位相差ＡＦエリア１を選択して、ハイブリッドＡＦによる焦点検出／調節を行うようにした。したがって、撮影者が設定したコントラストＡＦエリア３の位置に最も近い、すなわち撮影者が狙った主要被写体の位置に近い位相差ＡＦエリア１を使用してハイブリッドＡＦによる焦点検出／調節を行うことができる。
【００３０】
―第二の実施形態―
第二の実施形態の焦点調節装置付きカメラは、コントラストＡＦエリア３と複数の位相差ＡＦエリア１とが重複した場合、シーンセレクタ２９０で選択された撮影シーンに基づいて位相差ＡＦエリア１を選択するものである。このカメラの動作を図４および図５のフローチャートを用いて説明する。なお、図４のフローチャートにおいて、図３に示すフローチャートでの処理と同一内容の処理については同じ処理番号を付し、相違点を主に説明する。また、構成要素については、第一の実施形態による焦点調節装置付きカメラと同一とする。
【００３１】
図４のステップＳ１０４が肯定された場合、すなわち、コントラストＡＦエリア３と重複している位相差ＡＦエリアが複数存在すると判定された場合は、Ｓ２０１へ進む。また、コントラストＡＦエリア３と重複している位相差ＡＦエリア１が１つと判定された場合は、ステップＳ１０４が否定されてステップＳ１０６へ進む。
【００３２】
ステップＳ２０１では、撮影シーンの確認と撮影シーンに基づいた位相差ＡＦエリア１の選択を行い、ステップＳ１０６へ進む。
【００３３】
以下、図５のフローチャートを用いて、撮影シーンの確認と撮影シーンに基づいた位相差ＡＦエリア１の選択の処理について説明する。
ステップＳ３０１では、コントラストＡＦエリア３と重複している全ての位相差ＡＦエリア１のそれぞれ対応する位相差ＡＦセンサ２からの信号に基づいて、デフォーカス量演算部２４０にて各位相差ＡＦエリアのデフォーカス量を算出してステップＳ３０２へ進む。
【００３４】
ステップＳ３０２では、シーンセレクタ２９０で選択された撮影シーンが、たとえば風景モードなどのような遠方の被写体を主要被写体と設定するような撮影モード、たとえば無限遠を優先する撮影モードであるか否かを判定する。無限遠を優先する撮影モードであると判定された場合は、ステップＳ３０２が肯定されてステップＳ３０４へ進み、コントラストＡＦエリア３と重複している位相差ＡＦエリア１の中で算出されたデフォーカス量が最も無限側の位相差ＡＦエリア１を選択する。
【００３５】
ステップＳ３０２において、無限遠を優先する撮影モードではないと判定された場合は、ステップＳ３０２が否定されステップＳ３０３へ進む。ステップＳ３０３では、シーンセレクタ２９０で選択された撮影シーンが、たとえばクローズアップモードのような至近の被写体を主要被写体と設定するような撮影モード、または至近を優先する撮影モードであるか否かを判定する。至近の被写体を主要被写体と設定する撮影モード、または至近を優先する撮影モードであると判定された場合は、ステップＳ３０５へ進み、コントラストＡＦエリア３と重複している位相差ＡＦエリア１の中で算出されたデフォーカス量が最も至近側の位相差ＡＦエリア１を選択する。
【００３６】
ステップＳ３０３において、至近の被写体を主要被写体と設定する撮影モード、または至近を優先する撮影モードが設定されていないと判定された場合はステップＳ３０６へ進み、前述のようにコントラストＡＦエリア３と重複している面積が最大の位相差ＡＦエリア１を選択する。
【００３７】
以上で説明した第二の実施形態によるカメラによれば、第一の実施の形態によるカメラと同様の作用効果に加え、次のような作用効果を得ることができる。
コントラストＡＦエリア３の範囲が複数の位相差ＡＦエリア１を含む場合、シーンセレクタ２９０で設定された撮影モードに基づいて、位相差ＡＦエリア１を選択するようにした。すなわち、風景などのように相対的に遠方の被写体を撮影するモードが選択された場合は、最も遠方に位置する被写体が存在する位相差ＡＦエリア１を選択し、クローズアップモードなどのように相対的に至近の被写体を撮影するモードが選択された場合は、最も至近に位置する被写体が存在する位相差ＡＦエリア１を選択するようにした。したがって、コントラストＡＦエリア３と複数の位相差ＡＦエリア１とが重複する場合であっても、撮影者が所望する撮影シーンに最適な位相差ＡＦエリア１を使用してハイブリッドＡＦによる焦点検出／調節を行うことができる。
【００３８】
以上の実施の形態のカメラを以下のように変形することができる。
（１）コントラストＡＦエリア３と重複する領域内に、面積が最大値の位相差ＡＦエリア１が複数存在する場合は、それらの全てを選択してもよい。この場合、複数の位相差ＡＦエリア１に基づいて算出されたデフォーカス量により、レンズ駆動方向（デフォーカス方向）が同じであればその方向に焦点調節レンズ１２０ｂを駆動させた後に、コントラストＡＦによる焦点調節を行うようにすればよい。
【００３９】
（２）コントラストＡＦエリア３と重複する領域内に、面積が最大値の位相差ＡＦエリア１が複数存在する場合は、位相差ＡＦによる焦点調節状態に応じて、いずれの位相差ＡＦエリア１も選択しないようにしてもよい。すなわち、レンズ駆動方向（デフォーカス方向）が異なれば、いずれの位相差ＡＦエリア１も選択せずに位相差ＡＦによる焦点調節を行なわず、コントラストＡＦによる焦点調節のみを行えばよい。
【００４０】
（３）コントラストＡＦエリア３と複数の位相差ＡＦエリア１とが重複する場合には、たとえば撮影時のシーンを解析して主要被写体を検出し、主要被写体の存在する位相差ＡＦエリア１を選択してもよい。
【００４１】
（４）位相差ＡＦエリア１の配置位置および数量は、図２に示す配置位置および数量に限定されるものではない。
（５）位相差ＡＦとコントラストＡＦとの組み合わせによるハイブリッドＡＦついて説明したが、この組み合わせに限定されるものではなく、異なる２つのＡＦ方式を組み合わせた種々のハイブリッドＡＦについて本発明を適用できる。また、位相差ＡＦおよびコントラストＡＦの実施形態も上述したものに何ら限定されない。
【００４２】
（６）本実施の形態においては、レンズ鏡筒が交換可能なカメラとして説明したが、これに限定されるものではなく、レンズ一体型のカメラであってもよい。
【００４３】
また、本発明の特徴を損なわない限り、本発明は上記実施の形態に限定されるものではなく、本発明の技術的思想の範囲内で考えられるその他の形態についても、本発明の範囲内に含まれる。すなわち、本発明はコントラストＡＦエリア３（第二の測距エリア）内に位相差ＡＦエリア１（第一の測距エリア）が複数含まれる場合、上述したような条件に基づいて位相差ＡＦエリア１のいずれかを選択することを特徴とするものであれば、いかなる形態を採用してもよい。
【図面の簡単な説明】
【００４４】
【図１】本発明の焦点調節装置を内蔵したカメラのブロック図である。
【図２】測距エリアの配置を説明する図である。
【図３】本発明による第一の実施形態の動作を説明するフローチャートである。
【図４】本発明による第二の実施形態の動作を説明するフローチャートである。
【図５】第二の実施形態における撮影シーンの確認動作を説明するフローチャートである。
【符号の説明】
【００４５】
１        位相差ＡＦエリア                  ３        コントラストＡＦエリア
１０      カメラボディ                      ２０      撮像素子                  
１００    位相差式焦点検出素子              ２２０    ＣＣＤ制御部
２３０    デフォーカス量演算部              ２４０    コントラスト演算部        
２７０    コントラストＡＦエリア選択操作部  ２８０    エリア決定部
２９０    シーンセレクタ                    ３００    制御回路
【図１】
2007256885.tif 000003
【図２】
2007256885.tif 000004
【図３】
2007256885.tif 000005
【図４】
2007256885.tif 000006
【図５】
2007256885.tif 000007